(57)【要約】【課題】居住空間を有効利用することができ、また、建物内の熱や空気を外部へと排出することで、室内環境を良好にすることができる中間階を有する建物を提供すること。【解決手段】１階と２階の間に中間階を有する建物Ｔであって、１階に配置されたキッチンＫと、中間階のキッチンＫの上に配置された蔵型収納室１５とを備え、キッチンＫの天井の一部が中間階の天井の高さに達しており、ダイニングＤの天井付近の壁２０に、中間階に連通する複数の開口１８が設けられている。また、蔵型収納室１５には窓５ｃ、５ｄが設けられ、２階に配置された寝室１６には天窓１９が設けられている構造。【選択図】      図５
2004346525.tif 000002
【特許請求の範囲】
【請求項１】
上階と下階の間に中間階を有する建物であって、
前記下階に配置された居住空間と、
前記中間階の前記居住空間の上に配置された収納室とを備え、
前記居住空間の天井の一部が前記中間階の天井の高さに達しており、
前記居住空間の天井付近の壁に、前記中間階に連通する複数の開口が設けられていることを特徴とする中間階を有する建物。
【請求項２】
請求項１記載の中間階を有する建物において、前記居住空間は第１居住空間と第２居住空間とを有し、前記第１居住空間の上に前記収納室が配置され、前記第２居住空間の天井付近の壁に、前記中間階に連通する前記複数の開口が設けられていることを特徴とする中間階を有する建物。
【請求項３】
請求項１または２に記載の中間階を有する建物において、前記収納室は天井高が約１．４ｍ以下に設定された蔵型収納室であって、その蔵型収納室には外部へと連通する複数の開口が設けられていることを特徴とする中間階を有する建物。
【請求項４】
請求項１〜３の何れかに記載の中間階を有する建物において、前記居住空間に隣接して第３居住空間が配置され、その第３居住空間には中間階へと連絡する階段が設けられていることを特徴とする中間階を有する建物。
【請求項５】
請求項１〜４の何れかに記載の中間階を有する建物において、前記中間階には上階へと連絡する階段が設けられていることを特徴とする中間階を有する建物。
【請求項６】
請求項１〜５の何れかに記載の中間階を有する建物において、前記上階に第４居住空間が配置され、その第４居住空間の天井部には天窓が設けられていることを特徴とする中間階を有する建物。
【請求項７】
請求項１〜６の何れかに記載の中間階を有する建物において、前記上階にはロフトスペースが配置されていることを特徴とする中間階を有する建物。
【請求項８】
請求項１〜７の何れかに記載の中間階を有する建物において、前記第１居住空間はキッチンであり、前記第２居住空間はダイニングであり、前記第３居住空間はリビングであり、前記第４居住空間は寝室であることを特徴とする中間階を有する建物。
【発明の詳細な説明】
【０００１】
【発明の属する技術分野】
本発明は、中間階を有する建物に関し、特に居住空間の有効利用および居住性の向上を図ることができる建物の技術に関する。
【０００２】
【背景技術】
従来、住宅等の建物内には生活用品および備品などを収納するための収納部が設けられている。この収納部は、床下や天井裏，屋根裏などを利用した形態が広く知られている。また、近年においては家族構成や生活パターンの変化に応じて収納室の利用形態が多用化していることなどから、より大きな収納空間を必要とするようになってきている。この点は、建物内容積の有効利用の観点からも、建物内に可能な限り大きくしかも効率的な収納空間を設けておくことが望まれている。
【０００３】
本出願人は既に、このような点を考慮した建物として、建物の床下空間を有効に利用し、大きな収納空間として効率的に家具等を収納することができる蔵型の収納部を備えた建物を提案している（例えば、特許文献１参照。）。これは、建物の床下空間を利用して蔵型収納部を構成しているので、建物の床下空間を有効に利用し、大きな収納空間として、効率的に家具等を収納することができることになる。
【０００４】
【特許文献１】特開平６−３２３００５
【０００５】
【発明が解決しようとする課題】
一方、近年では利便性の高い大きな収納空間に加え、室内環境の向上が望まれている。特に、冷暖房等の機械設備による温度調節のみに頼るのではなく、より自然な温度調節を図ることが重要とされている。これは、居住人自身が健康で快適な生活を望んでおり、また、資源エネルギーの消費による地球環境問題にも配慮されたものである。したがって、これからの建物は居住空間の有効利用を図り、また、室内環境にも配慮された建物であることが望ましい。
【０００６】
本発明は、居住空間を有効利用することができ、また、建物内の熱や空気を外部へと排出することで、室内環境を良好にすることができる中間階を有する建物を提供することにある。
【０００７】
【課題を解決するための手段】
上階と下階の間に中間階を有する建物であって、下階に配置された居住空間と、中間階の居住空間の上に配置された収納室とを備え、居住空間の天井の一部が中間階の天井の高さに達しており、居住空間の天井付近の壁に、中間階に連通する複数の開口が設けられている構造とした。
【０００８】
このような本発明によれば、居住空間を有効利用することができ、また、建物内の熱や空気を外部へと排出することで、室内環境を良好にすることができる。すなわち、居住空間の天井付近の壁には中間階に連通する開口が設けられているため、その開口から熱や空気を中間階へと排出することができる。また、中間階が設けられているため、居住空間の天井を中間階の天井高まで高く設定することもできる。これにより、快適な居住空間とすることが可能になる。
【０００９】
前記居住空間は第１居住空間と第２居住空間とを有し、第１居住空間の上に収納室が配置され、第２居住空間の天井付近の壁に、中間階に連通する複数の開口が設けられていることが望ましい。このようにした場合、居住空間の有効利用を図ることができる。すなわち、居住空間は第１居住空間と第２居住空間とを有しているため、居住人の利用形態に応じて居住空間を利用することができる。
【００１０】
前記収納室は天井高が約１．４ｍ以下に設定された蔵型収納室であって、その蔵型収納室には外部へと連通する複数の開口が設けられていることが望ましい。このようにした場合、利便性に優れた収納構造とすることができる。すなわち、収納室は通常の居室と同じような構造となった、いわゆる蔵型収納室とすることで、荷物の出し入れが容易となり、使い勝手が格段に向上する。また、収納室の天井高は約１．４ｍ以下に設定されているため、収納室は床面積に算入されないことになる。これにより、税金制度にも優遇されることになる。
【００１１】
前記居住空間に隣接して第３居住空間が配置され、その第３居住空間には中間階へと連絡する階段が設けられていることが望ましい。このようした場合、収納室の利便性が格段に向上する。すなわち、中間階には収納室が設けられているため、建物内の家具や収納物を容易に収納することができる。
【００１２】
前記中間階には上階へと連絡する階段が設けられていることが望ましい。このようにした場合、室内環境を良好にすることができる。すなわち、熱は下から上へと昇っていく性質があるため、中間階に上階へと連絡する階段を設けることで、下階からの熱や空気を階段から上階へと効率的に排出することができる。
【００１３】
前記上階に第４居住空間が配置され、その第４居住空間の天井部には天窓が設けられていることが望ましい。このようにした場合、室内環境をさらに良好にすることができる。すなわち、下階からの熱や空気が居住空間に設けられた複数の開口や中間階を経て、第４居住空間へと抜けていき、第４居住空間に設けられた天窓より、外部へと排出される構造とすることができる。
【００１４】
前記上階には天井高の低いロフトが配置されていることが望ましい。このように配置した場合、居住空間の有効利用を図ることができる。すなわち、天井高の低いロフトを配置することで、ロフトスペースが床面積に算入されないことになる。また、このロフトを収納空間として利用することもできるため、建物内の収納容量が大幅に向上する。
【００１５】
前記第１居住空間はキッチンであり、第２居住空間はダイニングであり、第３居住空間はリビングであり、第４居住空間は寝室であることが望ましい。このようにした場合、快適な居住空間を形成することができる。すなわち、本発明は熱や空気を上階および外部へと排出する建物構造でもあるため、居住人の利用頻度が高いとされるキッチン、ダイニングおよびリビングを下階に配置すれば、室内温度が良好となり、快適空間を形成することができる。また、中間階を設けているので、下階の天井高を高く設定することができ、更なる快適空間を形成することができる
【００１６】
【発明の実施の形態】
【００１７】
以下、本発明の実施の形態について、図面を参照して説明する。
図１は住宅の１階間取り図、図２は住宅の中間階の間取り図、図３は住宅の２階間取り図、図４は住宅の正面断面図、図５は住宅の背面断面図、図６（ａ）は住宅の右側断面図、（ｂ）は住宅の左側断面図である。
この実施形態では、本発明を住宅に適用した例を示す。
【００１８】
これらの図において、住宅Ｔは正面が南側に面して配置され、１階と２階の間に中間階を備えた２階建て住宅である。まず、住宅Ｔの間取りを説明する。図１に示すように、住宅Ｔの１階東側に配置されたポーチ１を抜けると、玄関２が配置され、その玄関２に玄関収納３が設けられている。
【００１９】
玄関２を通り抜けた西側にリビングＬ（第３居住空間）が配置され、リビングＬの南側に１階天井付近までの高さの窓４ａと、西側に窓４ｂが設けられている。東側には壁５に隣接して階段Ｋ１が配置されている。北側には、ダイニングＤ（第２居住空間）と窓４ｃが配置されている。ダイニングＤの東側には、内障子６を備えた和室７が配置され、西側にはキッチンＫ（第１居住空間）と窓４ｄが配置されている。キッチンＫとリビングＬの間にシステムトイレ８と収納棚９がそれぞれ設けられている。
【００２０】
上記、ダイニングＤとリビングＬは一体的に連続した開放的な空間となっている。階段Ｋ１を昇った中間階は、図２に示すように、東側にトイレ１０、バスルーム１１、洗面所１２がそれぞれ配置され、廊下１４に隣接した南側に居室１３が配置されている。洗面所１２の南側には窓５ａと、居室１３に窓５ｂがそれぞれ設けられている。
【００２１】
廊下１４を抜けた北側には蔵型収納室１５が配置されている。廊下１４の床と蔵型収納室１５の床はフラットに形成されている。蔵型収納室１５内には窓５ｃ、５ｄがそれぞれ設けられている。中間階に設けられた階段Ｋ２を昇った２階は、図３に示すように、北側に寝室１６（第４居住空間）と東側にロフト１７がそれぞれ配置されている。
【００２２】
寝室１６には、窓６ａ、６ｂと、天窓１９がそれぞれ設けられている。この天窓１９は、図５、６に示すように、勾配屋根Ｙ上に設けられており、陽射しを効果的に取り入れることができる。また、天窓１９の内側にブラインド（図示しない）が設置されているため、季節や陽射しの強弱に応じて調整することができる。
【００２３】
次に、図４〜６を参照して住宅Ｔにおける各居室や天井の位置および高さ関係について説明する。１階と中間階ではキッチンＫの上に蔵型収納室１５が配置されている。この蔵型収納室１５は図５に示すように、天井高が約１．４ｍに設定されている。また、ダイニングＤの天井高は中間階の天井高まで達している。このダイニングＤの天井付近の壁Ａ（図２）には複数の開口１８が設けられ、中間階へと連通した構造となっている。
【００２４】
したがって、居住空間の有効利用および室内環境を良好にすることができる。すなわち、熱は下から上へと昇っていく性質があるため、ダイニングＤの天井付近の壁に中間階に連通する複数の開口１８を設けることにより、その開口１８からダイニングＤにこもった熱や空気を中間階へと排出することができる。さらに、上述したように中間階の蔵型収納室１５内に設けられた窓５ｃ、５ｄから外部へと熱や空気を排出することができるので、室内環境を良好に保つことができる。
【００２５】
また、中間階が設けられているため、ダイニングＤの天井高を中間階の天井高まで高く設定することができる。さらに、蔵型収納室１５の天井高が約１．４ｍに設定されていることで、蔵型収納室１５は床面積に参入されないこととなる。これにより、建物内に可能な限りの大きな収納空間を効率的に配置することができる。さらには、税金制度にも優遇される。
【００２６】
リビングＬの上には居室１３が配置されている。また、リビングＬの一部の天井２０は吹き抜け構造となっており、リビングＬに設けられた階段Ｋ１から熱や空気が中間階へと抜けていく構造とすることができる。この階段Ｋ１は中間階へと連絡しているため、蔵型収納室１５の利便性を向上させることができる。すなわち、天井裏または床下収納などの収納構造と比べ、蔵型収納室１５を居室感覚で使用することができるため、建物内の家具や大きな収納物を容易に収納することができる。
【００２７】
中間階と２階においては、蔵型収納室１５の上に寝室１６が配置されている。また、中間階には２階へと連絡する階段Ｋ２が設けられているため、１階からの熱や空気が開口１８や階段Ｋ１を経て、中間階に排出され、それらが階段Ｋ２を抜けて２階へと排出される。寝室１６内には天窓１９のほか、窓６ａ、６ｂが設けられているので、これらを開放することにより外部へと熱や空気を排出可能な構造となっている。
【００２８】
また、トイレ１０およびバスルーム１１の上にロフト１７が配置され、天井高は約１．４ｍに設定されている。このロフト１７は、２階の床よりも高く形成されており、居室または収納空間としても利用できる。例えば、居室としては子供部屋にすることもできるし、収納空間としては、寝室１６の家具等を収納することなどが考えられる。
【００２９】
なお、上述した蔵型収納室１５の天井高の高さは約１．４ｍに設定されているが、これに限定されるものではない。これは、建物全体の高さや１階または２階の天井高との関係で決定するものであり、１．４ｍ以下またはそれ以上にすることもできる。しかしながら、居住空間の有効利用や利便性、および床面積に算入される、されない等の問題から天井高を約１．４ｍに設定することが好ましい。
【００３０】
【発明の効果】
以上のように、本発明によれば、中間階を設けることで居住空間を有効利用することができる。また、１階から中間階、および２階から外部への空気流通路が形成されているため、建物内の熱や空気を外部へと排出することができる。したがって、室内環境を良好にすることができる中間階を有する建物を提供することができる。
【図面の簡単な説明】
【図１】本発明の実施形態に係る１階の間取り図である。
【図２】本発明の実施形態に係る中間階の間取り図である。
【図３】本発明の実施形態に係る２階の間取り図である。
【図４】本発明の実施の形態に係る住宅Ｔの正面断面図である。
【図５】本発明の実施の形態に係る住宅Ｔの背面断面図である。
【図６】本発明の実施の形態に係る住宅Ｔの右側断面図（ａ）、左側断面図（ｂ）である。
【符号の説明】
１  ポーチ
２  玄関
３  玄関収納
４ａ〜４ｄ  窓
５ａ〜５ｄ  窓
６  内障子
６ａ、６ｂ  窓
７  和室
８  システムトイレ
９  収納棚
１０  トイレ
１１  バスルーム
１２  洗面所
１３  居室
１４  廊下
１５  蔵型収納室
１６  寝室
１７  ロフト
１８  開口
１９  天窓
Ａ  壁
Ｄ  ダイニング
Ｋ  キッチン
Ｋ１、Ｋ２  階段
Ｌ  リビング
Ｔ  住宅
Ｙ  屋根
【図１】
2004346525.tif 000003
【図２】
2004346525.tif 000004
【図３】
2004346525.tif 000005
【図４】
2004346525.tif 000006
【図５】
2004346525.tif 000007
【図６】
2004346525.tif 000008